(57)【要約】【課題】スーパーマーケット等の商品陳列部に取り付けて使用される商品情報表示体の支持具において、商品情報表示体の配置角度を任意に変更して、例えば商品情報表示体の配置角度に特徴を持たせる等を容易に実行可能とする。【解決手段】商品陳列部の被取付部１１に取り付けられる基体３０と、基体３０に連結部５０を介して連結された支柱４０と、商品情報表示体７０を保持する表示体保持部６０とを備え、連結部３０が、支柱４０の基部に設けられた球体５１と、球体５１を回動可能に受容する受容部５２と、受容部５２と螺合する蓋体５３とを備え、受容部５２は、球体５１の上半部に対向し該上半部に向けて傾倒可能な傾倒片５５を有し、蓋体５３を受容部５２に螺合させていくと蓋体５３の内面で傾倒片５５を球体５１の上半部に向けて押圧して傾倒片５５で球体５１を受容部５２に回動不可能に固定し得るように構成する。【選択図】          図１
2004219906.tif 000002
【特許請求の範囲】
【請求項１】
商品陳列部の被取付部に取り付けられる基体と、該基体に連結部を介して連結された支柱と、商品情報表示体を保持する、前記支柱に取り付けられた表示体保持部とを備えてなる商品情報表示体支持具であって、
前記連結部が、前記支柱を前記基体に該基体に対する角度を変更可能に連結するものであることを特徴とする商品情報表示体支持具。
【請求項２】
前記連結部が、前記支柱の基部に設けられた球体と、前記基体に設けられた、前記球体を回動可能に受容すると共に外周面に雄ネジ部を有する受容部と、該受容部の雄ネジ部に螺合する雌ネジ部を内面に有する蓋体とを備えてなり、
前記受容部は、前記球体の上半部に対向し該上半部に向けて傾倒可能な傾倒片を有し、前記蓋体を前記雄ねじ部および雌ネジ部を介して前記受容部に螺合させていくと該蓋体の内面で前記傾倒片を前記球体の上半部に向けて押圧して該傾倒片で前記球体を前記受容部に回動不可能に固定するように構成されていることを特徴とする請求項１記載の商品情報表示体支持具。
【請求項３】
商品陳列部の被取付部に取り付けられる基体と、商品情報表示体を保持する、前記基体に連結部を介して連結された保持フレームとを備えてなる商品情報表示体支持具であって、
前記連結部が、前記フレームを該フレームを含む平面内で回動させて前記基体に対する角度を変更可能に連結するものであることを特徴とする商品情報表示体支持具。
【請求項４】
商品陳列部の被取付部に取り付けられる基体と、商品情報表示体を保持する、前記基体に連結部を介して連結された保持フレームとを備えてなる商品情報表示体支持具であって、
前記連結部が、前記フレームを該フレームを含む平面内でスライドさせて前記基体に対する前記フレームの位置を変更可能に連結するものであることを特徴とする商品情報表示体支持具。
【請求項５】
商品陳列部の被取付部に取り付けられる基体と、商品情報表示体を保持する、前記基体に連結部を介して連結された保持フレームとを備えてなる商品情報表示体支持具であって、
前記連結部が、前記基体に固設された連結片と、該連結片を挟むように該連結片の両側に配置された一対の挟持片とを備えてなり、該一対の挟持片は、前記連結片から離間させることによって該連結片に対して回動可能であると共に所定の回動位置で前記連結片に両側から押し付けることによってその所定の回動位置で該連結片に固定可能であり、かつ前記連結片から離間させることによって前記フレームをスライド可能にすると共に前記連結片に両側から押し付けることによって前記フレームを固定保持可能なものであることを特徴とする商品情報表示体支持具。
【発明の詳細な説明】
【０００１】
【発明の属する技術分野】
本発明は、スーパーマーケット店内の商品陳列棚や冷ケース等に取り付けて使用される、商品名や商品の価格等を表示する商品情報表示体を支持する商品情報表示体支持具に関する。
【０００２】
【従来の技術】
従来より、図７に示すように、例えばスーパーマーケットの商品陳列棚や冷ケース等の商品陳列部１の前面部にポップスタンドと称される商品情報表示体支持具２を取り付け、商品陳列部１に並べられている商品３の商品名や値段等の商品情報（商品に関する情報）を表示した表示板等の商品情報表示体４を商品情報表示体支持具２に支持させて、消費者に商品情報を提供することが行われている。
【０００３】
そのような商品情報表示体支持具２として従来使用されているものは、例えば商品陳列部１の前面部に取り付けられる基体５と、該基体５に連結部６を介して連結されたＬ字型の支柱７と、該支柱７に設けられた商品情報表示体４を保持するクリップ等の表示体保持部８とからなり、支柱７は連結部６を介して基体５に固定的に連結されている。
【０００４】
【発明が解決しようとする課題】
しかしながら、上記従来の商品情報表示体支持具２のように支柱７が基体５に固定的に取り付けられていると、通常基体５は商品陳列部１の前面部等に形成された被取付部１１に対してある特定の位置関係でしか取り付けることができないので、支柱７の角度も商品陳列部１に対してある特定の角度でしか取り付けることができず、例えば商品情報表示体４の配置角度を異ならせて商品情報表示に特徴を出すため支柱７を所望の角度に傾けて取り付けようとしてもできないという問題があった。
【０００５】
また、店によっては、あるいは同一店内でも商品陳列棚や冷ケース等の商品陳列部１の種類によっては、被取付部１１の角度が異なる場合があり、その場合支柱７が例えば本来なら垂直になるところが垂直にならず多少傾いてしまい、この場合支柱７を垂直に直すことができないという問題もあった。
【０００６】
一方、支柱ではなく商品情報表示体を保持するフレームを備えたタイプの商品情報表示体支持具の場合も、そのフレームの角度を変更したりあるいはフレームをスライドさせてその位置を変更可能とすれば、商品情報表示体の配置自由度が高くなり、商品情報表示に種々の工夫を凝らすことができ、好都合である。
【０００７】
本発明の目的は、上記事情に鑑み、商品陳列部に対する支柱の角度を変更可能とし、あるいは商品陳列部に対するフレームの角度や位置を変更可能とすることにより、商品情報表示体の配置角度あるいは配置位置を変更可能とした商品情報表示体支持具を提供することにある。
【０００８】
【課題を解決するための手段】
本発明に係る第１の商品情報表示体支持具は、商品陳列部の被取付部に取り付けられる基体と、該基体に連結部を介して連結された支柱と、商品情報表示体を保持する、前記支柱に取り付けられた表示体保持部とを備えてなる商品情報表示体支持具であって、前記連結部が、前記支柱を前記基体に該基体に対する角度を変更可能に連結するものであることを特徴とする。
【０００９】
前記商品情報表示体支持具においては、前記連結部が、前記支柱の基部に設けられた球体と、前記基体に設けられた、前記球体を回動可能に受容すると共に外周面に雄ネジ部を有する受容部と、該受容部の雄ネジ部に螺合する雌ネジ部を内面に有する蓋体とを備えてなり、前記受容部は、前記球体の上半部に対向し該上半部に向けて傾倒可能な傾倒片を有し、前記蓋体を前記雄ねじ部および雌ネジ部を介して前記受容部に螺合させていくと該蓋体の内面で前記傾倒片を前記球体の上半部に向けて押圧して該傾倒片で前記球体を前記受容部に回動不可能に固定するように構成することができる。
【００１０】
本発明に係る第２の商品情報表示体支持具は、商品陳列部の被取付部に取り付けられる基体と、商品情報表示体を保持する、前記基体に連結部を介して連結された保持フレームとを備えてなる商品情報表示体支持具であって、前記連結部が、前記フレームを該フレームを含む平面内で回動させて前記基体に対する角度を変更可能に連結するものであることを特徴とする。
【００１１】
本発明に係る第３の商品情報表示体支持具は、商品陳列部の被取付部に取り付けられる基体と、商品情報表示体を保持する、前記基体に連結部を介して連結された保持フレームとを備えてなる商品情報表示体支持具であって、前記連結部が、前記フレームを該フレームを含む平面内でスライドさせて前記基体に対する前記フレームの位置を変更可能に連結するものであることを特徴とする。
【００１２】
本発明に係る第４の商品情報表示体支持具は、商品陳列部の被取付部に取り付けられる基体と、商品情報表示体を保持する、前記基体に連結部を介して連結された保持フレームとを備えてなる商品情報表示体支持具であって、前記連結部が、前記基体に固設された連結片と、該連結片を挟むように該連結片の両側に配置された一対の挟持片とを備えてなり、該一対の挟持片は、前記連結片から離間させることによって該連結片に対して回動可能であると共に所定の回動位置で前記連結片に両側から押し付けることによってその所定の回動位置で該連結片に固定可能であり、かつ前記連結片から離間させることによって前記フレームをスライド可能にすると共に前記連結片に両側から押し付けることによって前記フレームを固定保持可能なものであることを特徴とする。
【００１３】
【発明の効果】
本発明に係る第１の商品情報表示体支持具は、上述のように、連結部を介して支柱を基体に角度変更可能に連結したので、連結部を操作することにより支柱の角度を変えて商品情報表示体の配置角度を変えることができ、商品情報表示体の配置自由度が向上し、例えば商品情報表示体の配置角度に特徴を持たせる等を容易に行うことができる。
【００１４】
本発明に係る第２の商品情報表示体支持具は、上述のように、連結部を介してフレームを基体に角度変更可能に連結したので、連結部を操作することによりフレームの角度を変えて商品情報表示体の配置角度を変えることができ、商品情報表示体の配置自由度が向上し、例えば商品情報表示体の配置角度に特徴を持たせる等を容易に行うことができる。
【００１５】
本発明に係る第３の商品情報表示体支持具は、上述のように、連結部を介してフレームを基体にスライド可能に連結したので、連結部を操作することによりフレームの位置を変えて商品情報表示体の配置位置を変えることができ、商品情報表示体の配置自由度が向上し、例えば商品情報表示体の配置位置に特徴を持たせる等を容易に行うことができる。
【００１６】
本発明に係る第４の商品情報表示体支持具は、上述のように、連結部を介してフレームを基体に角度変更可能にかつスライド可能に連結したので、連結部を操作することによりフレームの角度や位置を変えて商品情報表示体の配置角度や配置位置を変えることができ、商品情報表示体の配置自由度が向上し、例えば商品情報表示体の配置角度や配置位置に特徴を持たせる等を容易に行うことができる
【００１７】
【発明の実施の形態】
以下、図面を参照しながら本発明の実施の形態について詳細に説明する。
【００１８】
図１は本発明に係る商品情報表示体支持具の第１の実施形態を示す図であり、図１（ａ）は部分断面正面図、図１（ｂ）は図１（ａ）における蓋体を除いた状態の連結部および基体を示す拡大平面図である。
【００１９】
図１に示す商品情報表示体支持具２０は、基体３０と、支柱４０と、支柱４０を基体３０に連結する連結部５０と、支柱４０に取り付けられた表示体保持部６０とを備えてなる。
【００２０】
上記基体３０は、商品陳列部である商品陳列棚１の前面部に形成された被取付部１１に着脱可能に取り付けられるものであり、所定幅の金属板を略コ字状に折り曲げて形成した上片３１、下片３２および縦片３３からなる主部３４と、上片３１および下片３２の端部からそれぞれ上方および下方に向けて突出した上係止片３５および下係止片３６と、下片３２に固着した雌ねじ部材３７と、下片３２を貫通させて雌ねじ部材３７に螺合貫通させたネジ棒３８とを備えている。
【００２１】
商品陳列棚の前面部に形成された被取付部１１は、棚の前面１２と該前面１２の上端から下方に向けて突出した横方向（図１中紙面に垂直な方向）に延びる上係止壁１３と下端から上方に向けて突出した同じく横方向に延びる下係止壁１４とで構成されている。
【００２２】
基体３０を商品陳列棚の被取付部１１に取り付ける際には、ネジ棒３８を回してその上端を下げ、主部の上辺３１と下片３２を指で挟んで少し押しつぶして両片３１，３２の間隔を小さくし、この状態で上下の係止片３５，３６を上下の係止壁１３，１４間に通して棚の前面１２に押しつけて手を離す。そうすると、上片３１と下片３２とが弾性により元の状態に広がって上下の係止片３５、３６が上下の係止壁１３，１４の裏側に差し込まれて基体３０が被取付部１１に取り付けられる。その後、ネジ棒３８を回してその上端を上げて上片３１を少し押し上げ、上下両片３１，３２の間隔が狭まるのを防止して基体３０の取り付けを確実にし、脱落を防止する。
【００２３】
支柱４０は、垂直部４１と水平部４２とからなる略Ｌ字状をなし、垂直部４１の下端である基部には後述する球体５１が固着され、水平部４２には２個の洗濯ばさみと同様の構造を有するクリップからなる表示体保持部６０が水平部４２の延びる方向に沿ってスライド可能に取り付けられている。
【００２４】
連結部５０は、支柱４０の基部に固着された上記球体５１と、球体５１を回動可能に受容する基体３０に固着された受容部５２と、該受容部５２に螺合する蓋体５３とからなる。受容部５２は、下部の外周面に形成された雄ネジ部５４と、球体５１の上半部に対向し該上半部に向けて傾倒可能な、周方向に互いに間隔をあけて設けられた、上部に位置する８本の傾倒片５５とを備えている。蓋体５３は、下部の内面に受容部の雄ネジ部５４と螺合する雌ネジ部５６が形成されていると共に、上部の内面が傾倒片５５を球体５１に向けて押圧するための押圧面５７として形成されている。なお、図１においては、受容部５２に螺合された状態の蓋体５３と共に、受容部５２から離脱した状態の蓋体５３も図示している。
【００２５】
上記商品情報表示体支持具２０を商品陳列部の被取付部１１に取り付ける際には、上述の方法でまず基体３０を被取付部１１に取り付け、ついで蓋体５３を回してネジ部５４，５６の作用で蓋体５３を少し上方に移動させる。そうすると、蓋体内面の押圧面５７による傾倒片５５の球体押圧が解除され、受容部５２内で球体５１が回動可能となり支柱４０の角度変更、例えば図１中の矢印Ａ方向の角度変更が可能となるので、この状態で支柱４０を所望の角度にし、しかる後蓋体５３を回してネジ部５４，５６の作用で蓋体５３を下方に移動させ、蓋体内面の押圧面５７で傾倒片５５を球体５１の上半部に向けて押圧して球体５１を回動不可能に固定し、もって支柱４０の角度を固定する。その後商品の名称や価格等の商品情報を表示した商品情報表示板７０をクリップ６０で挟んで支柱４０に保持させる。
【００２６】
商品情報表示体支持具２０を取り外す際は、ネジ棒３８を回して下方に移動させ、主部の上辺３１と下片３２を指で挟んで両辺の間隔を小さくして上下の係止片３５，３６を上下の係止壁１３，１４の間から引き出すことによって行う。
【００２７】
次に、本発明に係る商品情報表示体支持具の第２の実施形態について、図２〜図６を参照しながら説明する。図２および図３は第２の実施形態を示す正面図および平面図、図４は基体と連結片を示す正面図、図５は一対の挟持片のうちのネジ孔付き挟持片を示す図であって、図５（ａ）は内面側から見た正面図、図５（ｂ）は図５（ａ）におけるＶｂ−Ｖｂ線断面図、図６は図２におけるＶＩ−ＶＩ線断面図である。
【００２８】
図２，３に示すように、本実施形態は、基体３０と、フレーム８０と、該フレーム８０を基体３０に連結する連結部９０とを備えてなる。
【００２９】
基体３０は第１の実施形態の基体３０と同様に構成されているので、同一要素に同一の番号を付して説明は省略する。
【００３０】
フレーム８０は、上辺部８１、下辺部８２、左辺部８３および右辺部８４からなる四角枠形状をなし、上辺部８１には上下に貫通するスリット８５が設けられ、下辺部８２、左辺部８３および右辺部８４にはその内側に上記スリット８５につながる凹溝８６が形成されている。また、左辺部８３の両面には後述する挟持片のスライド突部９８がスライド可能に嵌入するスライド溝８７が左辺部８３の長さ方向に直線状に形成されている。
【００３１】
連結部９０は、基体３０に固着された連結片９１と、該連結片９１の両側に配される一対の挟持片９２，９３と、両挟持片９２，９３を連結片９１に押圧固定するための締結具の一例である蝶ボルト９９とで構成されている。
【００３２】
連結片９１には、図３および図４に示されているように、断面が三角の山状の、かつ中心に向かって細くなっている三角突条を放射状に配置した角度変更固定部９４が両面に形成されており、その角度変更固定部９４の中心には貫通孔９４ａが形成されている。
【００３３】
上記一対の挟持片は貫通孔付き挟持片９２とネジ孔付き挟持片９３とからなり、ネジ孔付き挟持片９３は、連結片挟持部９５とフレーム挟持部９６とを有する略Ｔ字状をなし、連結片挟持部９５は内面（連結片９１に対向する面）に上記連結片の角度変更固定部９４と同様の三角突条が放射状に並んだ角度変更固定部９７が形成され、該角度変更固定部９７の中心には雌ネジ孔９７ａが形成されている。また、フレーム挟持部９６は、上記フレームのスライド溝８７にスライド可能に嵌入するスライド溝方向に所定長延びたスライド突部９８を備えている。上記貫通孔付き挟持片９２は、ネジ孔付き挟持片９３の雌ネジ孔９７ａがネジ部が形成されていない貫通孔９７ｃになっているだけであり、その他はネジ孔付き挟持片９３と同様に構成されている。
【００３４】
本実施形態の商品情報表示体支持具２０においては、図２および図３に示されているように、一対の挟持片９２，９３を、それらの角度変更固定部９７をそれぞれ連結片の角度変更固定部９４に対向させて配置し、かつ一対の挟持片９２，９３のフレーム挟持部９６の間にフレーム８０を配置して該フレームのスライド溝８７にフレーム挟持部のスライド突部９８を嵌入させ、その状態で貫通孔付き挟持片９２の側から該挟持片９２の貫通孔９７ｂに蝶ボルト９９を差し込み、連結片のの貫通孔９４ａを通してネジ孔付き挟持片９３の雌ネジ孔９７ａに螺合させ、さらにこの蝶ボルト９９を回し込むことにより両挟持片９２，９３の連結片挟持部９５を連結片９１に押し付ける。これにより、連結片の角度変更固定部９４の三角突条と両挟持片９２，９３の角度変更固定部９７の三角突条とが噛み合って角度変更固定部９４の中心周りに回転不可能に連結片９１に固定され、かつ、フレーム挟持部９６ではスライド突部９８がフレームのスライド溝８７に嵌入した状態でフレームの左辺部８３を両面から押圧挟持し、フレーム８０をスライド不可能に固定的に保持している。
【００３５】
この状態から、蝶ボルト９９を回して両挟持片９２，９３の押圧を緩めればそれらの連結片挟持部９５同士の間隔を大きくすることができ、その状態で両挟持片９２，９３の角度変更固定部９７を連結片の角度変更固定部９４に対して所定角度回転させることにより、フレーム８０の角度を該フレーム８０が含まれる平面内で変更することができ、また上記蝶ボルト９９を回して両挟持片９２，９３の押圧を緩めてフレーム挟持部９６によるフレーム８０の押圧挟持を解除し、この状態でスライド溝８７とスライド突部９８とを相対的にスライドさせれば、同じくフレーム８０を該フレーム８０が含まれる平面内で位置変更することができ、そのようにフレーム８０の角度および／または位置を変更した後再度蝶ボルト９９を回して締め込に両挟持片９２，９３で連結片９１およびフレームの左辺部８４を押圧挟持することにより、フレーム８０は変更後の角度および／または位置にて基体３０に対し固定的に保持することができる。
【００３６】
上記フレーム８０には、例えば商品情報を記載した紙を薄いプラスチックケースに入れてなる商品情報表示板７０（図１参照）をフレーム上辺部のスリット８５から差し込むことによって保持させる。
【図面の簡単な説明】
【図１】本発明に係る表示体支持具の第１の実施形態を示す図であり、図１（ａ）は部分断面正面図、図１（ｂ）は図１（ａ）中の蓋体を除いた連結部および基体を示す拡大平面図
【図２】本発明に係る表示体支持具の第２の実施形態を示す正面図
【図３】図２に示す第２の実施形態を示す平面図
【図４】図２に示す第２の実施形態の基体および突片を示す正面図
【図５】図２に示す第２の実施形態のネジ孔付き挟持片を示す図であり、図５（ａ）は内側から見た正面図、図５（ｂ）は図５（ａ）中のＶｂーＶｂ線断面図
【図６】図３中のＶＩーＶＩ線断面図
【図７】表示体支持具を商品陳列部に取り付けた状態を示す図
【符号の説明】
１１  被取付部
２０  商品情報表示体支持具
３０  基体
４０  支柱
５０  連結部
５１  球体
５２  受容部
５３  蓋体
５５  傾倒部
５７  押圧面
６０  表示体保持部
７０  商品情報表示体
８０  フレーム
９０  連結部
９１  連結片
９２  貫通孔付き挟持片
９３  ネジ孔付き挟持片
【図１】
2004219906.tif 000003
【図２】
2004219906.tif 000004
【図３】
2004219906.tif 000005
【図４】
2004219906.tif 000006
【図５】
2004219906.tif 000007
【図６】
2004219906.tif 000008
【図７】
2004219906.tif 000009